【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
記録に用いる液体を収容するカートリッジであって、当該カートリッジを識別するための識別情報を格納した不揮発性メモリを有するカートリッジが着脱可能に構成され、前記カートリッジから供給されるインクを吐出して記録を行う記録装置であって、
装着された前記カートリッジの前記不揮発性メモリから識別情報を読み込むために、前記不揮発性メモリとの電気的接続を確立する接点を有したインクジェット記録ヘッドと、
前記カートリッジの装着を検出する検出手段と、
前記カートリッジの不揮発性メモリからの識別情報を読み込んで、該識別情報に基づいて、前記装着されたカートリッジが前記記録装置に適合するカートリッジであるかどうかを識別する識別手段と、
前記識別手段により前記記録装置に適合しないカートリッジが識別されたと判断された場合、前記インクジェット記録ヘッドの回復動作を行うよう制御する制御手段とを有することを特徴とする記録装置。
【請求項２】
記録に用いる液体を収容するカートリッジであって、当該カートリッジを識別するための識別情報を格納した不揮発性メモリを有するカートリッジが着脱可能に構成される記録装置において、前記カートリッジから供給されるインクを吐出するために用いられるインクジェット記録ヘッドであって、
前記カートリッジを接続したときに、前記不揮発性メモリからの識別情報を読み込むために、前記不揮発性メモリとの電気的接続を確立する接点を有することを特徴とするインクジェット記録ヘッド。
【請求項３】
情報を格納する第２の不揮発性メモリをさらに有することを特徴とする請求項２に記載のインクジェット記録ヘッド。
【請求項４】
色の異なるインクを収容した複数のインクカートリッジを受容することを特徴とする請求項２又は３に記載のインクジェット記録ヘッド。
【請求項５】
請求項３に記載のインクジェット記録ヘッドを用いて記録媒体に記録を行う記録装置であって、
前記カートリッジの装着を検出する検出手段と、
前記カートリッジの不揮発性メモリからの識別情報を読み込んで、該識別情報に基づいて、前記装着されたカートリッジが前記記録装置に適合するカートリッジであるかどうかを識別する識別手段とを有することを特徴とする記録装置。
【請求項６】
前記カートリッジと前記インクジェット記録ヘッドとを搭載して往復移動するキャリッジをさらに有し、
前記キャリッジには情報を格納する第３の不揮発性メモリを有することを特徴とする請求項５に記載の記録装置。
【請求項７】
前記インクジェット記録ヘッドによる記録動作する制御手段をさらに有することを特徴とする請求項６に記載の記録装置。
【請求項８】
前記制御手段は、制御回路基板に搭載され、
前記制御回路基板には情報を格納する第４の不揮発性メモリを実装することを特徴とする請求項７に記載の記録装置。
【請求項９】
前記カートリッジの交換履歴情報は前記第２、第３、或いは第４の不揮発性メモリに格納することを特徴とする請求項８に記載の記録装置。
【請求項１０】
前記識別手段は、前記インクジェット記録ヘッドの接点において装着されたカートリッジとの電気的接続が確立されないときには、前記記録装置に適合しないカートリッジが装着されたと識別することを特徴とする請求項５に記載の記録装置。
【請求項１１】
前記識別手段により前記記録装置に適合しないカートリッジが識別されたと判断された場合、前記インクジェット記録ヘッドの回復動作を行うよう制御する回復制御手段をさらに有することを特徴とする請求項１０に記載の記録装置。
【請求項１２】
正規のカートリッジと交換するようユーザを促すメッセージを表示するようホスト装置に対して情報を送信する送信手段をさらに有することを特徴とする請求項１１に記載の記録装置。
【請求項１３】
正規のカートリッジと交換するようユーザを促すメッセージを表示する表示手段をさらに有することを特徴とする請求項１１に記載の記録装置。
【請求項１４】
請求項２乃至４のいずれか１項に記載のインクジェット記録ヘッドを用いて記録媒体に記録を行う記録装置におけるカートリッジの識別方法であって、
前記カートリッジと前記インクジェット記録ヘッドとを搭載して往復移動するキャリッジへの前記カートリッジの装着を検出する検出工程と、
前記カートリッジの不揮発性メモリからの識別情報を読み込んで、該識別情報に基づいて、前記装着されたカートリッジが前記記録装置に適合するカートリッジであるかどうかを識別する識別工程とを有することを特徴とするカートリッジの識別方法。
【手続補正２】
【補正対象書類名】明細書
【補正対象項目名】００１８
【補正方法】変更
【補正の内容】
【００１８】
即ち、記録に用いる液体を収容するカートリッジであって、当該カートリッジを識別するための識別情報を格納した不揮発性メモリを有するカートリッジが着脱可能に構成され、前記カートリッジから供給されるインクを吐出して記録を行う記録装置であって、装着された前記カートリッジの前記不揮発性メモリから識別情報を読み込むために、前記不揮発性メモリとの電気的接続を確立する接点を有したインクジェット記録ヘッドと、前記カートリッジの装着を検出する検出手段と、前記カートリッジの不揮発性メモリからの識別情報を読み込んで、該識別情報に基づいて、前記装着されたカートリッジが前記記録装置に適合するカートリッジであるかどうかを識別する識別手段と、前記識別手段により前記記録装置に適合しないカートリッジが識別されたと判断された場合、前記インクジェット記録ヘッドの回復動作を行うよう制御する制御手段とを有することを特徴とする。
【手続補正３】
【補正対象書類名】明細書
【補正対象項目名】００１９
【補正方法】変更
【補正の内容】
【００１９】
また、本発明では、記録に用いる液体を収容するカートリッジであって、当該カートリッジを識別するための識別情報を格納した不揮発性メモリを有するカートリッジが着脱可能に構成される記録装置において、前記カートリッジから供給されるインクを吐出するために用いられるインクジェット記録ヘッドであって、前記カートリッジを接続したときに、前記不揮発性メモリからの識別情報を読み込むために、前記不揮発性メモリとの電気的接続を確立する接点を有することを特徴とするインクジェット記録ヘッドを備える。
【手続補正４】
【補正対象書類名】明細書
【補正対象項目名】００２１
【補正方法】変更
【補正の内容】
【００２１】
さらに本発明では、上記構成のインクジェット記録ヘッドを用いて記録媒体に記録を行う記録装置であって、前記カートリッジの装着を検出する検出手段と、前記カートリッジの不揮発性メモリからの識別情報を読み込んで、該識別情報に基づいて、前記装着されたカートリッジが前記記録装置に適合するカートリッジであるかどうかを識別する識別手段とを有することを特徴とする記録装置を備える。
【手続補正５】
【補正対象書類名】明細書
【補正対象項目名】００２５
【補正方法】変更
【補正の内容】
【００２５】
また、上記識別手段では、前記インクジェット記録ヘッドの接点において装着されたカートリッジとの電気的接続が確立されないときには、前記記録装置に適合しないカートリッジが装着されたと識別し、その識別手段により前記記録装置に適合しないカートリッジが識別されたと判断された場合、前記インクジェット記録ヘッドの回復動作を行うよう制御することが望ましい。そのような場合、さらに、正規のカートリッジと交換するようユーザを促すメッセージを表示するようホスト装置に対して情報を送信したり、或いは、記録装置自身に正規のカートリッジと交換するようユーザを促すメッセージを表示する、例えば、ＬＣＤのような表示手段を備えると良い。
【手続補正６】
【補正対象書類名】明細書
【補正対象項目名】００２６
【補正方法】変更
【補正の内容】
【００２６】
また他の発明によれば、上記構成のインクジェット記録ヘッドを用いて記録媒体に記録を行う記録装置におけるカートリッジの識別方法であって、前記カートリッジと前記インクジェット記録ヘッドとを搭載して往復移動するキャリッジへの前記カートリッジの装着を検出する検出工程と、前記カートリッジの不揮発性メモリからの識別情報を読み込んで、該識別情報に基づいて、前記装着されたカートリッジが前記記録装置に適合するカートリッジであるかどうかを識別する識別工程とを有することを特徴とするカートリッジの識別方法を備える。